(57)【要約】【課題】本発明は多機能ハンドバッグを開示した。【解決手段】第一外殻と第二外殻を含み、前記第一外殻の後側端面には回転盤が回転できるように設けられ、前記回転盤の上に座ると方向を変えて周囲の環境を観察でき、前記第二外殻の前側端面にはスライド溝が設けられ、前記スライド溝の中にはスライド板がスライドできるように設けられ、前記スライド板の中には小型スライド溝が設けられ、前記小型スライド溝の中には位置制限機構が設けられ、前記スライド溝の後壁には後側溝が設けられ、前記第一ヒンジ連結ブロックの後壁にはハンドバッグを支持できる支持フレーム機構が設けられ、前記支持フレーム機構は前記位置制限機構とが協働することによってハンドバッグを地面に支持して固定すると、前記回転盤に座って休憩でき、前記スライド溝の上下両側における前記第二外殻の中にはそれぞれ第一線巻きチャンバが設けられる。【選択図】図１
2020179119.tif 000002
【特許請求の範囲】
【請求項１】
正面視で、第一外殻と第二外殻を含み、前記第一外殻の後側端面には回転盤が回転できるように設けられ、前記回転盤の上に座ると方向を変えて周囲の環境を観察でき、前記第二外殻の前側端面にはスライド溝が設けられ、前記スライド溝の中にはスライド板がスライドできるように設けられ、前記スライド板の中には小型スライド溝が設けられ、前記小型スライド溝の中には位置制限機構が設けられ、前記スライド溝の後壁には後側溝が設けられ、前記第一ヒンジ連結ブロックの後壁にはハンドバッグを支持できる支持フレーム機構が設けられ、前記支持フレーム機構は前記位置制限機構とが協働することによってハンドバッグを地面に支持して固定すると、前記回転盤に座って休憩でき、前記スライド溝の上下両側における前記第二外殻の中にはそれぞれ第一線巻きチャンバが設けられ、上下両側の前記第一線巻きチャンバにおける機構も対称的に設けられ、前記第一線巻きチャンバの中には前記第二外殻のスライドを制限できる引掛りブロック機構が設けられ、前記第一外殻と前記第二外殻との頂端にはそれぞれロック機構が設けられ、前記第一外殻の頂端にはハンドルブロックが設けられ、前記ハンドルブロックの間にはハンドルが回転できるように設けられ、前記第一外殻と前記第二外殻の底部が前記第一ヒンジ連結ブロックによってヒンジで連結されることを特徴とする多機能ハンドバッグ。
【請求項２】
前記位置制限機構は前記小型スライド溝の中にスライドできるように設けられる位置制限板を含み、前記位置制限板の前側端面には上下に対称的な二個の矩形凹溝が設けられ、前記位置制限板の中にはボルトがねじ山によって連結され、前記ボルトが右に延びており、前記小型スライド溝の右側端面には空き溝が設けられ、前記空き溝の中には回転軸が回転できるように設けられ、前記回転軸の外周には第一傘歯車が固定的に設けられ、前記ボルトの右側の伸びている部分は前記空き溝の中に伸びており、前記ボルトは前記スライド板と回転できるように取り付けられ、且つ前記ボルトの右側末端には前記第一傘歯車と噛み合って設けられる第二傘歯車が固定的に設けられ、前記回転軸の前側の伸びている部分は前記スライド板の前側端面から伸び出し、且つ前記回転軸の前側末端にはつまみが固定的に設けられ、前記つまみの前側端面には取っ手が固定的に設けられ、取っ手を手動で回転させることによって第一傘歯車を回転連動させ、さらに第二傘歯車を回転連動させ、ボルトを回転させ、位置制限板をさらにスライドさせ、これにより位置制限板の位置を調整できることを特徴とする請求項１に記載の多機能ハンドバッグ。
【請求項３】
前記支持フレーム機構は前記後側溝の後壁に固定的に設けられる第二ヒンジ連結ブロックを含み、前記第二ヒンジ連結ブロックが上下に対称的に二つ設けられ、前記第二ヒンジ連結ブロックにはそれぞれ第一支持ロッドがヒンジで連結され、二組の前記第一支持ロッドの間には二組の固定ロッドが固定的に設けられ、前記第一支持ロッドの後側端面にはそれぞれ第四支持ロッドがヒンジで連結され、前記第一支持ロッドの一端には第二支持ロッドが回転できるように設けられ、前記第二支持ロッドの前側端面にはそれぞれ第三支持ロッドがヒンジで連結され、前記第三支持ロッドと前記第四支持ロッドとは同じのように設けられ、
前記スライド板をスライドさせて最も左に位置させ、更に前記第一支持ロッドを前記後側溝の外まで揺れさせ、同時に前記第二支持ロッドと前記第一支持ロッドを広げ、前記第二支持ロッドを前記矩形凹溝の中に引っ掛け、前記第三支持ロッドと前記第四支持ロッドを開き、地面に固定することを特徴とする請求項１に記載の多機能ハンドバッグ。
【請求項４】
前記引掛りブロック機構は前記第一線巻きチャンバの中に回転できるように設けられる歯車を含み、前記歯車の前側端面には第一リールが固定的に設けられ、前記第一線巻きチャンバの右壁には引掛り溝が設けられ、前記引掛り溝の中にはラックがスライドできるように設けられ、前記スライド板の中には前記引掛り溝に対向して設けられる長スライド溝が設けられ、前記長スライド溝の中には長スライダーがスライドできるように設けられ、前記長スライダーの右側端面には復帰機構が固定的に設けられ、二組の前記第一線巻きチャンバの左側の前記第二外殻の中には上下対称の第二線巻きチャンバが二組設けられ、前記第二線巻きチャンバの中には第二リールが回転できるように設けられ、二組の前記第二線巻きチャンバの間にはばねチャンバが設けられ、前記ばねチャンバの中には上下に対称的な二組の矩形ブロックがスライドできるように設けられ、二組の前記矩形ブロックの間にはばねが取り付けられ、前記矩形ブロックの前側端面には固定ブロックが固定的に設けられ、前記第一リールには引き線が固定的に設けられ、前記引き線は前記第二リールを経由してから前記矩形ブロックと固定的に連結され、手動で前記固定ブロックを引き動かすことで、前記矩形ブロックを互いに近づけ、さらに前記引き線に前記歯車を引っ張らせて回転させ、さらにさらにラックを下方に移動させ、さらに長スライダーを引掛り溝から押し出すことができ、これによりスライド板を位置制限から解放できることを特徴とする請求項１に記載の多機能ハンドバッグ。
【発明の詳細な説明】
【技術分野】
【０００１】
本発明はハンドバッグ技術分野を取り上げて、具体的には多機能ハンドバッグである。
【背景技術】
【０００２】
現在市場に出回っているハンドバッグのほとんどは服を収納する機能しかなく、しかも構造が非常に簡単で、旅行中の旅行者は休憩したいときに休憩席がないことが多く、疲労を解消できなく、上記の問題を解決するために多機能ハンドバッグを設計することが必要である。
【先行技術文献】
【特許文献】
【０００３】
【特許文献１】中国特許出願公開第１０８０７８１００号明細書
【発明の概要】
【発明が解決しようとする課題】
【０００４】
本発明の目的は多機能ハンドバッグを提供し、それは上記の現在の技術中の問題を解決できる。
【課題を解決するための手段】
【０００５】
上記の課題を解決するため、本発明は以下の技術プランを採用する：多機能ハンドバッグは、第一外殻と第二外殻を含み、前記第一外殻の後側端面には回転盤が回転できるように設けられ、前記回転盤の上に座ると方向を変えて周囲の環境を観察でき、前記第二外殻の前側端面にはスライド溝が設けられ、前記スライド溝の中にはスライド板がスライドできるように設けられ、前記スライド板の中には小型スライド溝が設けられ、前記小型スライド溝の中には位置制限機構が設けられ、前記スライド溝の後壁には後側溝が設けられ、前記第一ヒンジ連結ブロックの後壁にはハンドバッグを支持できる支持フレーム機構が設けられ、前記支持フレーム機構は前記位置制限機構とが協働することによってハンドバッグを地面に支持して固定すると、前記回転盤に座って休憩でき、前記スライド溝の上下両側における前記第二外殻の中にはそれぞれ第一線巻きチャンバが設けられ、上下両側の前記第一線巻きチャンバにおける機構も対称的に設けられ、前記第一線巻きチャンバの中には前記第二外殻のスライドを制限できる引掛りブロック機構が設けられ、前記第一外殻と前記第二外殻との頂端にはそれぞれロック機構が設けられ、前記第一外殻の頂端にはハンドルブロックが設けられ、前記ハンドルブロックの間にはハンドルが回転できるように設けられ、前記第一外殻と前記第二外殻の底部が前記第一ヒンジ連結ブロックによってヒンジで連結される。
【０００６】
優選的には、前記位置制限機構は前記小型スライド溝の中にスライドできるように設けられる位置制限板を含み、前記位置制限板の前側端面には上下に対称的な二個の矩形凹溝が設けられ、前記位置制限板の中にはボルトがねじ山によって連結され、前記ボルトが右に延びており、前記小型スライド溝の右側端面には空き溝が設けられ、前記空き溝の中には回転軸が回転できるように設けられ、前記回転軸の外周には第一傘歯車が固定的に設けられ、前記ボルトの右側の伸びている部分は前記空き溝の中に伸びており、前記ボルトは前記スライド板と回転できるように取り付けられ、且つ前記ボルトの右側末端には前記第一傘歯車と噛み合って設けられる第二傘歯車が固定的に設けられ、前記回転軸の前側の伸びている部分は前記スライド板の前側端面から伸び出し、且つ前記回転軸の前側末端にはつまみが固定的に設けられ、前記つまみの前側端面には取っ手が固定的に設けられ、取っ手を手動で回転させることによって第一傘歯車を回転連動させ、さらに第二傘歯車を回転連動させ、ボルトを回転させ、位置制限板をさらにスライドさせ、これにより位置制限板の位置を調整できる。
【０００７】
前記支持フレーム機構は前記後側溝の後壁に固定的に設けられる第二ヒンジ連結ブロックを含み、前記第二ヒンジ連結ブロックが上下に対称的に二つ設けられ、前記第二ヒンジ連結ブロックにはそれぞれ第一支持ロッドがヒンジで連結され、二組の前記第一支持ロッドの間には二組の固定ロッドが固定的に設けられ、前記第一支持ロッドの後側端面にはそれぞれ第四支持ロッドがヒンジで連結され、前記第一支持ロッドの一端には第二支持ロッドが回転できるように設けられ、前記第二支持ロッドの前側端面にはそれぞれ第三支持ロッドがヒンジで連結され、前記第三支持ロッドと前記第四支持ロッドとは同じのように設けられ、
前記スライド板をスライドさせて最も左に位置させ、更に前記第一支持ロッドを前記後側溝の外まで揺れさせ、同時に前記第二支持ロッドと前記第一支持ロッドを広げ、前記第二支持ロッドを前記矩形凹溝の中に引っ掛け、前記第三支持ロッドと前記第四支持ロッドを開き、地面に固定する。
【０００８】
前記引掛りブロック機構は前記第一線巻きチャンバの中に回転できるように設けられる歯車を含み、前記歯車の前側端面には第一リールが固定的に設けられ、前記第一線巻きチャンバの右壁には引掛り溝が設けられ、前記引掛り溝の中にはラックがスライドできるように設けられ、前記スライド板の中には前記引掛り溝に対向して設けられる長スライド溝が設けられ、前記長スライド溝の中には長スライダーがスライドできるように設けられ、前記長スライダーの右側端面には復帰機構が固定的に設けられ、二組の前記第一線巻きチャンバの左側の前記第二外殻の中には上下対称の第二線巻きチャンバが二組設けられ、前記第二線巻きチャンバの中には第二リールが回転できるように設けられ、二組の前記第二線巻きチャンバの間にはばねチャンバが設けられ、前記ばねチャンバの中には上下に対称的な二組の矩形ブロックがスライドできるように設けられ、二組の前記矩形ブロックの間にはばねが取り付けられ、前記矩形ブロックの前側端面には固定ブロックが固定的に設けられ、前記第一リールには引き線が固定的に設けられ、前記引き線は前記第二リールを経由してから前記矩形ブロックと固定的に連結され、手動で前記固定ブロックを引き動かすことで、前記矩形ブロックを互いに近づけ、さらに前記引き線に前記歯車を引っ張らせて回転させ、さらにさらにラックを下方に移動させ、さらに長スライダーを引掛り溝から押し出すことができ、これによりスライド板を位置制限から解放できる。
【０００９】
初期状態では、支持フレーム機構は後側溝の内に完全に収納され、同時に、スライド板は最大限で右に位置する状態にあり、スライド板は前記後側溝に覆う。
【００１０】
利用するとき、まずスライド板をスライドさせ、スライド板を左に移動させ、さらに後側溝を見えるようにさせ、長スライダーを引掛り溝の中に引っ掛け、そして第一支持ロッドを後側溝の外まで揺れさせ、第二支持ロッドと第一支持ロッドを同時に開き、第二支持ロッドを矩形凹溝の中に引っ掛け、第三支持ロッドと第四支持ロッドを開いて地面に固定し、取っ手を手動で回転させることにより、つまみが第一傘歯車を回転連動させ、さらに第二傘歯車を回転連動させ、ボルトを回転させ、位置制限板をさらにスライドさせ、これにより位置制限板の位置を調整でき、第二外殻と地面との距離を調整でき、手動で固定ブロックを引き動かすことにより、矩形ブロックを互いに近づけ、さらに引き線に歯車を引き動かさせて回転させ、さらにラックを下方に移動させ、これにより長スライダーを引掛り溝から押し出すことができ、これによりスライド板が位置を制限されなくなり、装置を復帰させる
【発明の効果】
【００１１】
本発明の有益な効果は：本発明は携帯に便利であり、伝統的なハンドバッグと比べ、本発明は、二重使用機能を実現し、旅道途中で席がない場合、ハンドバッグによって支持フレーム機構を取り出すことができ、ハンドバッグを地面に取り付け、それに座席の機能を持たせ、ハンドバッグに座れるようにする。
【図面の簡単な説明】
【００１２】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の多機能ハンドバッグの後側外観図
【図２】図２は本発明の多機能ハンドバッグの前側外観図
【図３】図３は本発明の多機能ハンドバッグの内部構造図
【図４】図４は本発明における支持フレーム機構の略図
【図５】図５は図３におけるＡの局部拡大図
【図６】図６は図３におけるＢの局部拡大図
【図７】図７は図３におけるＣの局部拡大図
【発明を実施するための形態】
【００１４】
図１〜７を参照し、本発明の実施例の多機能ハンドバッグは、第一外殻１０と第二外殻１７を含み、前記第一外殻１０の後側端面には回転盤１５が回転できるように設けられ、前記回転盤１５の上に座ると方向を変えて周囲の環境を観察でき、前記第二外殻１７の前側端面にはスライド溝１８が設けられ、前記スライド溝１８の中にはスライド板１９がスライドできるように設けられ、前記スライド板１９の中には小型スライド溝２１が設けられ、前記小型スライド溝２１の中には位置制限機構８１が設けられ、前記スライド溝１８の後壁には後側溝２６が設けられ、前記第一ヒンジ連結ブロック１６の後壁にはハンドバッグを支持できる支持フレーム機構８２が設けられ、前記支持フレーム機構８２は前記位置制限機構８１とが協働することによってハンドバッグを地面に支持して固定すると、前記回転盤１５に座って休憩でき、前記スライド溝１８の上下両側における前記第二外殻１７の中にはそれぞれ第一線巻きチャンバ３７が設けられ、上下両側の前記第一線巻きチャンバ３７における機構も対称的に設けられ、前記第一線巻きチャンバ３７の中には前記第二外殻１７のスライドを制限できる引掛りブロック機構８３が設けられ、前記第一外殻１０と前記第二外殻１７との頂端にはそれぞれロック機構１１が設けられ、前記第一外殻１０の頂端にはハンドルブロック１２が設けられ、前記ハンドルブロック１２の間にはハンドル１３が回転できるように設けられ、前記第一外殻１０と前記第二外殻１７の底部が前記第一ヒンジ連結ブロック１６によってヒンジで連結される。
【００１５】
前記位置制限機構８１は前記小型スライド溝２１の中にスライドできるように設けられる位置制限板２２を含み、前記位置制限板２２の前側端面には上下に対称的な二個の矩形凹溝２０が設けられ、前記位置制限板２２の中にはボルト２３がねじ山によって連結され、前記ボルト２３が右に延びており、前記小型スライド溝２１の右側端面には空き溝４６が設けられ、前記空き溝４６の中には回転軸５５が回転できるように設けられ、前記回転軸５５の外周には第一傘歯車４７が固定的に設けられ、前記ボルト２３の右側の伸びている部分は前記空き溝４６の中に伸びており、前記ボルト２３は前記スライド板１９と回転できるように取り付けられ、且つ前記ボルト２３の右側末端には前記第一傘歯車４７と噛み合って設けられる第二傘歯車４８が固定的に設けられ、前記回転軸５５の前側の伸びている部分は前記スライド板１９の前側端面から伸び出し、且つ前記回転軸５５の前側末端にはつまみ２４が固定的に設けられ、前記つまみ２４の前側端面には取っ手２５が固定的に設けられ、取っ手２５を手動で回転させることによって第一傘歯車４７を回転連動させ、さらに第二傘歯車４８を回転連動させ、ボルト２３を回転させ、位置制限板２２をさらにスライドさせ、これにより位置制限板２２の位置を調整できる。
【００１６】
前記支持フレーム機構８２は前記後側溝２６の後壁に固定的に設けられる第二ヒンジ連結ブロック２９を含み、前記第二ヒンジ連結ブロック２９が上下に対称的に二つ設けられ、前記第二ヒンジ連結ブロック２９にはそれぞれ第一支持ロッド２８がヒンジで連結され、二組の前記第一支持ロッド２８の間には二組の固定ロッド３１が固定的に設けられ、前記第一支持ロッド２８の後側端面にはそれぞれ第四支持ロッド３６がヒンジで連結され、前記第一支持ロッド２８の一端には第二支持ロッド２７が回転できるように設けられ、前記第二支持ロッド２７の前側端面にはそれぞれ第三支持ロッド３２がヒンジで連結され、前記第三支持ロッド３２と前記第四支持ロッド３６とは同じのように設けられ、
前記スライド板１９をスライドさせて最も左に位置させ、更に前記第一支持ロッド２８を前記後側溝２６の外まで揺れさせ、同時に前記第二支持ロッド２７と前記第一支持ロッド２８を広げ、前記第二支持ロッド２７を前記矩形凹溝２０の中に引っ掛け、前記第三支持ロッド３２と前記第四支持ロッド３６を開き、地面に固定する。
【００１７】
前記引掛りブロック機構８３は前記第一線巻きチャンバ３７の中に回転できるように設けられる歯車３８を含み、前記歯車３８の前側端面には第一リール３９が固定的に設けられ、前記第一線巻きチャンバ３７の右壁には引掛り溝４２が設けられ、前記引掛り溝４２の中にはラック４１がスライドできるように設けられ、前記スライド板１９の中には前記引掛り溝４２に対向して設けられる長スライド溝４５が設けられ、前記長スライド溝４５の中には長スライダー４３がスライドできるように設けられ、前記長スライダー４３の右側端面には復帰機構４４が固定的に設けられ、二組の前記第一線巻きチャンバ３７の左側の前記第二外殻の中には上下対称の第二線巻きチャンバ３４が二組設けられ、前記第二線巻きチャンバ３４の中には第二リール３３が回転できるように設けられ、二組の前記第二線巻きチャンバ３４の間にはばねチャンバ５０が設けられ、前記ばねチャンバ５０の中には上下に対称的な二組の矩形ブロック４９がスライドできるように設けられ、二組の前記矩形ブロック４９の間にはばね５１が取り付けられ、前記矩形ブロック４９の前側端面には固定ブロック５９が固定的に設けられ、前記第一リール３９には引き線４０が固定的に設けられ、前記引き線４０は前記第二リール３３を経由してから前記矩形ブロック４９と固定的に連結され、手動で前記固定ブロック５９を引き動かすことで、前記矩形ブロック４９を互いに近づけ、さらに前記引き線４０に前記歯車３８を引っ張らせて回転させ、さらにさらにラック４１を下方に移動させ、さらに長スライダー４３を引掛り溝４２から押し出すことができ、これによりスライド板１９を位置制限から解放できる。
【００１８】
初期状態では、支持フレーム機構８２は後側溝２６の内に完全に収納され、同時に、スライド板１９は最大限で右に位置する状態にあり、スライド板１９は前記後側溝２６に覆う。
【００１９】
利用するとき、まずスライド板１９をスライドさせ、スライド板１９を左に移動させ、さらに後側溝２６を見えるようにさせ、長スライダー４３を引掛り溝４２の中に引っ掛け、そして第一支持ロッド２８を後側溝２６の外まで揺れさせ、第二支持ロッド２７と第一支持ロッド２８を同時に開き、第二支持ロッド２７を矩形凹溝２０の中に引っ掛け、第三支持ロッド３２と第四支持ロッド３６を開いて地面に固定し、取っ手２５を手動で回転させることにより、つまみ２４が第一傘歯車４７を回転連動させ、さらに第二傘歯車４８を回転連動させ、ボルト２３を回転させ、位置制限板２２をさらにスライドさせ、これにより位置制限板２２の位置を調整でき、第二外殻１７と地面との距離を調整でき、手動で固定ブロック５９を引き動かすことにより、矩形ブロック４９を互いに近づけ、さらに引き線４０に歯車３８を引き動かさせて回転させ、さらにラック４１を下方に移動させ、これにより長スライダー４３を引掛り溝４２から押し出すことができ、これによりスライド板１９が位置を制限されなくなり、装置を復帰させる。
【００２０】
本発明の有益な効果は：本発明は携帯に便利であり、伝統的なハンドバッグと比べ、本発明は、二重使用機能を実現し、旅道途中で席がない場合、ハンドバッグによって支持フレーム機構を取り出すことができ、ハンドバッグを地面に取り付け、それに座席の機能を持たせ、ハンドバッグに座れるようにする。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179119.tif 000003
【図２】
2020179119.tif 000004
【図３】
2020179119.tif 000005
【図４】
2020179119.tif 000006
【図５】
2020179119.tif 000007
【図６】
2020179119.tif 000008
【図７】
2020179119.tif 000009
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
第一外殻と第二外殻を含み、前記第一外殻の後側端面には回転盤が回転できるように設けられ、前記回転盤の上に座ると方向を変えて周囲の環境を観察でき、前記第二外殻の前側端面にはスライド溝が設けられ、前記スライド溝の中にはスライド板が左右にスライドできるように設けられ、前記スライド板の中には小型スライド溝が設けられ、前記小型スライド溝の中には位置制限機構が設けられ、前記スライド溝の後壁には後側溝が設けられ、前記後側溝の後壁にはハンドバッグを支持できる支持フレーム機構が設けられ、前記支持フレーム機構は前記位置制限機構とが協働することによってハンドバッグを地面に支持して固定すると、前記回転盤に座って休憩でき、前記スライド溝の上下両側における前記第二外殻の中にはそれぞれ第一線巻きチャンバが設けられ、上下両側の前記第一線巻きチャンバにおける機構も前記スライド溝を対称ラインとして対称的に設けられ、前記第一線巻きチャンバの中には前記第二外殻の地面に対する垂直方向のスライドを制限できる引掛りブロック機構が設けられ、前記第一外殻と前記第二外殻との頂端にはそれぞれロック機構が設けられ、前記第一外殻の頂端にはハンドルブロックが設けられ、前記ハンドルブロックの間にはハンドルが回転できるように設けられ、前記第一外殻と前記第二外殻の底部が前記第一ヒンジ連結ブロックによってヒンジで連結され、
前記位置制限機構は前記小型スライド溝の中にスライドできるように設けられる位置制限板を含み、前記位置制限板の前側端面には上下に対称的な二個の矩形凹溝が設けられ、前記位置制限板の中にはボルトがねじ山によって連結され、前記ボルトが右に延びており、前記小型スライド溝の右壁には空き溝が設けられ、前記空き溝の中には回転軸が回転できるように設けられ、前記回転軸の外周には第一傘歯車が固定的に設けられ、前記ボルトの右側の伸びている部分は前記空き溝の中に伸びており、前記ボルトは前記スライド板と回転できるように取り付けられ、且つ前記ボルトの右側末端には前記第一傘歯車と噛み合って設けられる第二傘歯車が固定的に設けられ、前記回転軸の前側の伸びている部分は前記スライド板の前側端面から伸び出し、且つ前記回転軸の前側末端にはつまみが固定的に設けられ、前記つまみの前側端面には取っ手が固定的に設けられ、取っ手を手動で回転させることによって第一傘歯車を回転連動させ、さらに第二傘歯車を回転連動させ、ボルトを回転させ、位置制限板をさらにスライドさせ、これにより位置制限板の位置を調整でき、
前記支持フレーム機構は前記後側溝の後壁に固定的に設けられる第二ヒンジ連結ブロックを含み、前記第二ヒンジ連結ブロックが上下に対称的に二つ設けられ、前記第二ヒンジ連結ブロックにはそれぞれ第一支持ロッドがヒンジで連結され、二組の前記第一支持ロッドの間には二組の固定ロッドが固定的に設けられ、前記第一支持ロッドの後側端面にはそれぞれ第四支持ロッドがヒンジで連結され、前記第一支持ロッドの一端には第二支持ロッドが回転できるように設けられ、前記第二支持ロッドの前側端面にはそれぞれ第三支持ロッドがヒンジで連結され、前記第三支持ロッドと前記第四支持ロッドとは同じのように設けられ、前記スライド板をスライドさせて最も左に位置させ、更に前記第一支持ロッドを前記後側溝の外まで揺れさせ、同時に前記第二支持ロッドと前記第一支持ロッドを広げ、前記第二支持ロッドを前記矩形凹溝の中に引っ掛け、前記第三支持ロッドと前記第四支持ロッドを開き、地面に固定し、
前記引掛りブロック機構は前記第一線巻きチャンバの中に回転できるように設けられる歯車を含み、前記歯車の前側端面には第一リールが固定的に設けられ、前記第一線巻きチャンバの右壁には引掛り溝が設けられ、前記引掛り溝の中にはラックがスライドできるように設けられ、前記スライド板の中には前記引掛り溝に対向して設けられる長スライド溝が設けられ、前記長スライド溝の中には長スライダーがスライドできるように設けられ、前記長スライダーの右側端面には復帰機構が固定的に設けられ、二組の前記第一線巻きチャンバの左側の前記第二外殻の中には上下に対称的に二個の第二線巻きチャンバが設けられ、前記第二線巻きチャンバの中には第二リールが回転できるように設けられ、二組の前記第二線巻きチャンバの間にはばねチャンバが設けられ、前記ばねチャンバの中には上下に対称的に二個の矩形ブロックがスライドできるように設けられれ、二組の前記矩形ブロックの間にはばねが取り付けられ、前記矩形ブロックの前側端面には固定ブロックが固定的に設けられ、前記第一リールには引き線が固定的に設けられ、前記引き線は前記第二リールを経由してから前記矩形ブロックと固定的に連結され、手動で前記固定ブロックを引き動かすことにより、前記矩形ブロックを互いに近づけ、さらに前記引き線に前記歯車を引き動かさせて回転させ、上側の前記歯車が時計回りに回転したら、上側の前記ラックを下方に移動させ、上側の前記長スライダーを上側の前記引掛り溝から押し出すことができ、下側の前記歯車が反時計回りに回転したら、下側の前記ラックを上方に移動させ、下側の前記長スライダーを下側の前記引掛り溝から押し出すことができ、これにより前記スライド板の位置が制限されなくなることを特徴とする多機能ハンドバッグ。
【手続補正２】
【補正対象書類名】明細書
【補正対象項目名】全文
【補正方法】変更
【補正の内容】
【発明の詳細な説明】
【技術分野】
【０００１】
本発明はハンドバッグ技術分野を取り上げて、具体的には多機能ハンドバッグである。
【背景技術】
【０００２】
現在市場に出回っているハンドバッグのほとんどは服を収納する機能しかなく、しかも構造が非常に簡単で、旅行中の旅行者は休憩したいときに休憩席がないことが多く、疲労を解消できなく、上記の問題を解決するために多機能ハンドバッグを設計することが必要である。
【先行技術文献】
【特許文献】
【０００３】
【特許文献１】中国特許出願公開第１０８０７８１００号明細書
【発明の概要】
【発明が解決しようとする課題】
【０００４】
本発明の目的は多機能ハンドバッグを提供し、それは上記の現在の技術中の問題を解決できる。
【課題を解決するための手段】
【０００５】
上記の課題を解決するため、本発明は以下の技術プランを採用する：多機能ハンドバッグは、第一外殻と第二外殻を含み、前記第一外殻の後側端面には回転盤が回転できるように設けられ、前記回転盤の上に座ると方向を変えて周囲の環境を観察でき、前記第二外殻の前側端面にはスライド溝が設けられ、前記スライド溝の中にはスライド板が左右にスライドできるように設けられ、前記スライド板の中には小型スライド溝が設けられ、前記小型スライド溝の中には位置制限機構が設けられ、前記スライド溝の後壁には後側溝が設けられ、前記後側溝の後壁にはハンドバッグを支持できる支持フレーム機構が設けられ、前記支持フレーム機構は前記位置制限機構とが協働することによってハンドバッグを地面に支持して固定すると、前記回転盤に座って休憩でき、前記スライド溝の上下両側における前記第二外殻の中にはそれぞれ第一線巻きチャンバが設けられ、上下両側の前記第一線巻きチャンバにおける機構も前記スライド溝を対称ラインとして対称的に設けられ、前記第一線巻きチャンバの中には前記第二外殻の地面に対する垂直方向のスライドを制限できる引掛りブロック機構が設けられ、前記第一外殻と前記第二外殻との頂端にはそれぞれロック機構が設けられ、前記第一外殻の頂端にはハンドルブロックが設けられ、前記ハンドルブロックの間にはハンドルが回転できるように設けられ、前記第一外殻と前記第二外殻の底部が前記第一ヒンジ連結ブロックによってヒンジで連結される。
【０００６】
優選的には、前記位置制限機構は前記小型スライド溝の中にスライドできるように設けられる位置制限板を含み、前記位置制限板の前側端面には上下に対称的な二個の矩形凹溝が設けられ、前記位置制限板の中にはボルトがねじ山によって連結され、前記ボルトが右に延びており、前記小型スライド溝の右壁には空き溝が設けられ、前記空き溝の中には回転軸が回転できるように設けられ、前記回転軸の外周には第一傘歯車が固定的に設けられ、前記ボルトの右側の伸びている部分は前記空き溝の中に伸びており、前記ボルトは前記スライド板と回転できるように取り付けられ、且つ前記ボルトの右側末端には前記第一傘歯車と噛み合って設けられる第二傘歯車が固定的に設けられ、前記回転軸の前側の伸びている部分は前記スライド板の前側端面から伸び出し、且つ前記回転軸の前側末端にはつまみが固定的に設けられ、前記つまみの前側端面には取っ手が固定的に設けられ、取っ手を手動で回転させることによって第一傘歯車を回転連動させ、さらに第二傘歯車を回転連動させ、ボルトを回転させ、位置制限板をさらにスライドさせ、これにより位置制限板の位置を調整できる。
【０００７】
前記支持フレーム機構は前記後側溝の後壁に固定的に設けられる第二ヒンジ連結ブロックを含み、前記第二ヒンジ連結ブロックが上下に対称的に二つ設けられ、前記第二ヒンジ連結ブロックにはそれぞれ第一支持ロッドがヒンジで連結され、二組の前記第一支持ロッドの間には二組の固定ロッドが固定的に設けられ、前記第一支持ロッドの後側端面にはそれぞれ第四支持ロッドがヒンジで連結され、前記第一支持ロッドの一端には第二支持ロッドが回転できるように設けられ、前記第二支持ロッドの前側端面にはそれぞれ第三支持ロッドがヒンジで連結され、前記第三支持ロッドと前記第四支持ロッドとは同じのように設けられ、
前記スライド板をスライドさせて最も左に位置させ、更に前記第一支持ロッドを前記後側溝の外まで揺れさせ、同時に前記第二支持ロッドと前記第一支持ロッドを広げ、前記第二支持ロッドを前記矩形凹溝の中に引っ掛け、前記第三支持ロッドと前記第四支持ロッドを開き、地面に固定する。
【０００８】
前記引掛りブロック機構は前記第一線巻きチャンバの中に回転できるように設けられる歯車を含み、前記歯車の前側端面には第一リールが固定的に設けられ、前記第一線巻きチャンバの右壁には引掛り溝が設けられ、前記引掛り溝の中にはラックがスライドできるように設けられ、前記スライド板の中には前記引掛り溝に対向して設けられる長スライド溝が設けられ、前記長スライド溝の中には長スライダーがスライドできるように設けられ、前記長スライダーの右側端面には復帰機構が固定的に設けられ、二組の前記第一線巻きチャンバの左側の前記第二外殻の中には上下に対称的に二個の第二線巻きチャンバが設けられ、前記第二線巻きチャンバの中には第二リールが回転できるように設けられ、二組の前記第二線巻きチャンバの間にはばねチャンバが設けられ、前記ばねチャンバの中には上下に対称的に二個の矩形ブロックがスライドできるように設けられれ、二組の前記矩形ブロックの間にはばねが取り付けられ、前記矩形ブロックの前側端面には固定ブロックが固定的に設けられ、前記第一リールには引き線が固定的に設けられ、前記引き線は前記第二リールを経由してから前記矩形ブロックと固定的に連結され、手動で前記固定ブロックを引き動かすことで、前記矩形ブロックを互いに近づけ、さらに前記引き線に前記歯車を引っ張らせて回転させ、さらにさらにラックを下方に移動させ、さらに長スライダーを引掛り溝から押し出すことができ、これによりスライド板を位置制限から解放できる。
【０００９】
初期状態では、支持フレーム機構は後側溝の内に完全に収納され、同時に、スライド板は最大限で右に位置する状態にあり、スライド板は前記後側溝に覆う。
【００１０】
利用するとき、まずスライド板をスライドさせ、スライド板を左に移動させ、さらに後側溝を見えるようにさせ、長スライダーを引掛り溝の中に引っ掛け、そして第一支持ロッドを後側溝の外まで揺れさせ、第二支持ロッドと第一支持ロッドを同時に開き、第二支持ロッドを矩形凹溝の中に引っ掛け、第三支持ロッドと第四支持ロッドを開いて地面に固定し、取っ手を手動で回転させることにより、つまみが第一傘歯車を回転連動させ、さらに第二傘歯車を回転連動させ、ボルトを回転させ、位置制限板をさらにスライドさせ、これにより位置制限板の位置を調整でき、第二外殻と地面との距離を調整でき、手動で固定ブロックを引き動かすことにより、矩形ブロックを互いに近づけ、さらに引き線に歯車を引き動かさせて回転させ、上側の歯車が時計回りに回転したら、上側のラックを下方に移動させ、上側の長スライダーを上側の引掛り溝から押し出すことができ、下側の歯車が反時計回りに回転したら、下側のラックを上方に移動させ、下側の長スライダーを下側の引掛り溝から押し出すことができ、これによりスライド板の位置が制限されなくなり、装置を復帰させる。
【発明の効果】
【００１１】
本発明の有益な効果は：本発明は携帯に便利であり、伝統的なハンドバッグと比べ、本発明は、二重使用機能を実現し、旅道途中で席がない場合、ハンドバッグによって支持フレーム機構を取り出すことができ、ハンドバッグを地面に取り付け、それに座席の機能を持たせ、ハンドバッグに座れるようにする。
【図面の簡単な説明】
【００１２】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の多機能ハンドバッグの後側外観図
【図２】図２は本発明の多機能ハンドバッグの前側外観図
【図３】図３は本発明の多機能ハンドバッグの内部構造図
【図４】図４は本発明における支持フレーム機構の略図
【図５】図５は図３におけるＡの局部拡大図
【図６】図６は図３におけるＢの局部拡大図
【図７】図７は図３におけるＣの局部拡大図
【発明を実施するための形態】
【００１４】
図１〜７を参照し、本発明の実施例の多機能ハンドバッグは、第一外殻１０と第二外殻１７を含み、前記第一外殻１０の後側端面には回転盤１５が回転できるように設けられ、前記回転盤１５の上に座ると方向を変えて周囲の環境を観察でき、前記第二外殻１７の前側端面にはスライド溝１８が設けられ、前記スライド溝１８の中にはスライド板１９が左右にスライドできるように設けられ、前記スライド板１９の中には小型スライド溝２１が設けられ、前記小型スライド溝２１の中には位置制限機構８１が設けられ、前記スライド溝１８の後壁には後側溝２６が設けられ、前記後側溝２６の後壁にはハンドバッグを支持できる支持フレーム機構８２が設けられ、前記支持フレーム機構８２は前記位置制限機構８１とが協働することによってハンドバッグを地面に支持して固定すると、前記回転盤１５に座って休憩でき、前記スライド溝１８の上下両側における前記第二外殻１７の中にはそれぞれ第一線巻きチャンバ３７が設けられ、上下両側の前記第一線巻きチャンバ３７における機構も前記スライド溝１８を対称ラインとして対称的に設けられ、前記第一線巻きチャンバ３７の中には前記第二外殻１７の地面に対する垂直方向のスライドを制限できる引掛りブロック機構８３が設けられ、前記第一外殻１０と前記第二外殻１７との頂端にはそれぞれロック機構１１が設けられ、前記第一外殻１０の頂端にはハンドルブロック１２が設けられ、前記ハンドルブロック１２の間にはハンドル１３が回転できるように設けられ、前記第一外殻１０と前記第二外殻１７の底部が前記第一ヒンジ連結ブロック１６によってヒンジで連結される。
【００１５】
前記位置制限機構８１は前記小型スライド溝２１の中にスライドできるように設けられる位置制限板２２を含み、前記位置制限板２２の前側端面には上下に対称的な二個の矩形凹溝２０が設けられ、前記位置制限板２２の中にはボルト２３がねじ山によって連結され、前記ボルト２３が右に延びており、前記小型スライド溝２１の右壁には空き溝４６が設けられ、前記空き溝４６の中には回転軸５５が回転できるように設けられ、前記回転軸５５の外周には第一傘歯車４７が固定的に設けられ、前記ボルト２３の右側の伸びている部分は前記空き溝４６の中に伸びており、前記ボルト２３は前記スライド板１９と回転できるように取り付けられ、且つ前記ボルト２３の右側末端には前記第一傘歯車４７と噛み合って設けられる第二傘歯車４８が固定的に設けられ、前記回転軸５５の前側の伸びている部分は前記スライド板１９の前側端面から伸び出し、且つ前記回転軸５５の前側末端にはつまみ２４が固定的に設けられ、前記つまみ２４の前側端面には取っ手２５が固定的に設けられ、取っ手２５を手動で回転させることによって第一傘歯車４７を回転連動させ、さらに第二傘歯車４８を回転連動させ、ボルト２３を回転させ、位置制限板２２をさらにスライドさせ、これにより位置制限板２２の位置を調整できる。
【００１６】
前記支持フレーム機構８２は前記後側溝２６の後壁に固定的に設けられる第二ヒンジ連結ブロック２９を含み、前記第二ヒンジ連結ブロック２９が上下に対称的に二つ設けられ、前記第二ヒンジ連結ブロック２９にはそれぞれ第一支持ロッド２８がヒンジで連結され、二組の前記第一支持ロッド２８の間には二組の固定ロッド３１が固定的に設けられ、前記第一支持ロッド２８の後側端面にはそれぞれ第四支持ロッド３６がヒンジで連結され、前記第一支持ロッド２８の一端には第二支持ロッド２７が回転できるように設けられ、前記第二支持ロッド２７の前側端面にはそれぞれ第三支持ロッド３２がヒンジで連結され、前記第三支持ロッド３２と前記第四支持ロッド３６とは同じのように設けられ、
前記スライド板１９をスライドさせて最も左に位置させ、更に前記第一支持ロッド２８を前記後側溝２６の外まで揺れさせ、同時に前記第二支持ロッド２７と前記第一支持ロッド２８を広げ、前記第二支持ロッド２７を前記矩形凹溝２０の中に引っ掛け、前記第三支持ロッド３２と前記第四支持ロッド３６を開き、地面に固定する。
【００１７】
前記引掛りブロック機構８３は前記第一線巻きチャンバ３７の中に回転できるように設けられる歯車３８を含み、前記歯車３８の前側端面には第一リール３９が固定的に設けられ、前記第一線巻きチャンバ３７の右壁には引掛り溝４２が設けられ、前記引掛り溝４２の中にはラック４１がスライドできるように設けられ、前記スライド板１９の中には前記引掛り溝４２に対向して設けられる長スライド溝４５が設けられ、前記長スライド溝４５の中には長スライダー４３がスライドできるように設けられ、前記長スライダー４３の右側端面には復帰機構４４が固定的に設けられ、二組の前記第一線巻きチャンバ３７の左側の前記第二外殻１７の中には上下に対称的に二個の第二線巻きチャンバ３４が設けられ、前記第二線巻きチャンバ３４の中には第二リール３３が回転できるように設けられ、二組の前記第二線巻きチャンバ３４の間にはばねチャンバ５０が設けられ、前記ばねチャンバ５０の中には上下に対称的に二個の矩形ブロック４９がスライドできるように設けられ、二組の前記矩形ブロック４９の間にはばね５１が取り付けられ、前記矩形ブロック４９の前側端面には固定ブロック５９が固定的に設けられ、前記第一リール３９には引き線４０が固定的に設けられ、前記引き線４０は前記第二リール３３を経由してから前記矩形ブロック４９と固定的に連結され、手動で前記固定ブロック５９を引き動かすことで、前記矩形ブロック４９を互いに近づけ、さらに前記引き線４０に前記歯車３８を引っ張らせて回転させ、さらにさらにラック４１を下方に移動させ、さらに長スライダー４３を引掛り溝４２から押し出すことができ、これによりスライド板１９を位置制限から解放できる。
【００１８】
初期状態では、支持フレーム機構８２は後側溝２６の内に完全に収納され、同時に、スライド板１９は最大限で右に位置する状態にあり、スライド板１９は前記後側溝２６に覆う。
【００１９】
利用するとき、まずスライド板１９をスライドさせ、スライド板１９を左に移動させ、さらに後側溝２６を見えるようにさせ、長スライダー４３を引掛り溝４２の中に引っ掛け、そして第一支持ロッド２８を後側溝２６の外まで揺れさせ、第二支持ロッド２７と第一支持ロッド２８を同時に開き、第二支持ロッド２７を矩形凹溝２０の中に引っ掛け、第三支持ロッド３２と第四支持ロッド３６を開いて地面に固定し、取っ手２５を手動で回転させることにより、つまみ２４が第一傘歯車４７を回転連動させ、さらに第二傘歯車４８を回転連動させ、ボルト２３を回転させ、位置制限板２２をさらにスライドさせ、これにより位置制限板２２の位置を調整でき、第二外殻１７と地面との距離を調整でき、手動で固定ブロック５９を引き動かすことにより、矩形ブロック４９を互いに近づけ、さらに引き線４０に歯車３８を引き動かさせて回転させ、上側の歯車３８が時計回りに回転したら、上側のラック４１を下方に移動させ、上側の長スライダー４３を上側の引掛り溝４２から押し出すことができ、下側の歯車３８が反時計回りに回転したら、下側のラック４１を上方に移動させ、下側の長スライダー４３を下側の引掛り溝４２から押し出すことができ、これによりスライド板１９の位置が制限されなくなり、装置を復帰させる。
【００２０】
本発明の有益な効果は：本発明は携帯に便利であり、伝統的なハンドバッグと比べ、本発明は、二重使用機能を実現し、旅道途中で席がない場合、ハンドバッグによって支持フレーム機構を取り出すことができ、ハンドバッグを地面に取り付け、それに座席の機能を持たせ、ハンドバッグに座れるようにする。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。